(57)【要約】【課題】筐体天板に正面に開口する配線開口を有する構造において吊り上げ搬送を可能にした配電盤を提供する。【解決手段】配電盤は、筐体２と、天板２１の左右端部に設けられ、搬送時に用いる保持部を取り付けるための保持部取付部３０と、天板２１の左右端部に前後方向に延在して設けられ、保持部取付部３０と平面視で重なる前後補強材３１と、固定枠部２５ｂの内部に設けられる枠補強材３２と、を有する。筐体２は、天板２１に配線開口２１ｈが形成され、上辺にある枠部２５は、固定枠部２５ｂ及び着脱可能な枠部２５ａを有し、着脱可能な枠部２５ａを取り外した状態で配線開口２１ｈが正面側Ｘ１に開口する。枠補強材３２は、左右外側から内側へ延在して固定枠部２５ｂから露出している。露出部位３２ａと、着脱可能な枠部２５ａと、が締結具により固定可能に構成されている。【選択図】図２
2018174664.tif 000002
【特許請求の範囲】
【請求項１】
正面側を向く開口を有する箱状をなし、正面視にて前記開口の縁に枠部が設けられ、天板に配線開口が形成され、前記開口の上辺にある前記枠部は、固定枠部及び着脱可能な枠部を有し、前記着脱可能な枠部を取り外した状態で前記配線開口が正面側に開口する、筐体と、
前記天板の左右端部に設けられ、搬送時に用いる保持部を取り付けるための保持部取付部と、
前記天板の左右端部に前後方向に延在して設けられ、前記保持部取付部と平面視で重なる前後補強材と、
前記固定枠部の内部に設けられる枠補強材と、を備え、
前記枠補強材は、左右外側から内側へ延在して前記固定枠部から露出しており、当該露出部位と、前記着脱可能な枠部と、を締結具により固定可能に構成されている、配電盤。
【請求項２】
前記固定枠部は、前記配線開口の横幅が奥側よりも正面側の方が小さくなるように、左右外側から内側へ向けて延在している、請求項１に記載の配電盤。
【請求項３】
前記固定枠部及び前記着脱可能な枠部は、上板と、前記上板から下方に向かう前板と、前記前板の下部から奥側へ向かう下板と、を有し、
前記着脱可能な枠部は、前記上板及び前記前板の少なくとも二箇所で固定される、請求項１又は２に記載の配電盤。
【請求項４】
前記前後補強材は、筐体を構成する天板及び側板の入り隅部に設けられ、水平板及び垂直板を有する断面Ｌ字状であり、前記水平板及び前記垂直板がそれぞれ前記筐体の天板及び側板に固定されている、請求項１〜３のいずれかに記載の配電盤
【発明の詳細な説明】
【技術分野】
【０００１】
本開示は、配電盤に関する。
【背景技術】
【０００２】
分電盤、制御盤等の配電盤は、例えば特許文献１に例示するように、遮断器と、遮断器を収容すると共に正面側を向く開口を有する箱形の筐体と、を有する。筐体の天板には、筐体の外部から内部へ引き込む配線を通すための配線開口が形成されている。
【先行技術文献】
【特許文献】
【０００３】
【特許文献１】特開２０１１−３６０３６号公報
【発明の概要】
【発明が解決しようとする課題】
【０００４】
筐体開口の縁には、枠部が形成されている。枠部は、筐体を構成する各板部材を開口の中心側へ折り曲げ更に奥側へ折り曲げて形成される。枠部により筐体の強度が確保される。特許文献１では、配線を正面側から奥側へそのまま引き込むことを可能にするために、配線開口が正面側にも開口しており、上辺の枠部が取り外し可能に構成される。
【０００５】
しかしながら、上辺の枠部を取り外し可能に構成した構造において、筐体の天板の左右端部にフック等の保持部を設けて、配電盤を吊り上げて搬送する場合に、配電盤の重さにより、天板の正面左右が相対的に上下に動き変形する場合があり、吊り上げ搬送が難しい場合がある。
【０００６】
本開示は、このような課題に着目してなされたものであって、その目的は、筐体天板に正面に開口する配線開口を有する構造において吊り上げ搬送を可能にした配電盤を提供することである。
【課題を解決するための手段】
【０００７】
本開示は、上記目的を達成するために、次のような手段を講じている。
【０００８】
すなわち、本開示の配電盤は、
正面側を向く開口を有する箱状をなし、正面視にて前記開口の縁に枠部が設けられ、天板に配線開口が形成され、前記開口の上辺にある前記枠部は、固定枠部及び着脱可能な枠部を有し、前記着脱可能な枠部を取り外した状態で前記配線開口が正面側に開口する、筐体と、
前記天板の左右端部に設けられ、搬送時に用いる保持部を取り付けるための保持部取付部と、
前記天板の左右端部に前後方向に延在して設けられ、前記保持部取付部と平面視で重なる前後補強材と、
前記固定枠部の内部に設けられる枠補強材と、を備え、
前記枠補強材は、左右外側から内側へ延在して前記固定枠部から露出しており、当該露出部位と、前記着脱可能な枠部と、を締結具により固定可能に構成されている。
【０００９】
この構成によれば、フックなどの保持部が取り付けられる保持部取付部と平面視で重なる位置に前後補強材が設けられており、更に固定枠部の内部に枠補強材が設けられ、対をなす枠補強材が枠部に直接固定された構造をなしている。着脱可能な枠部が枠補強材に直接接続されることによって、片持ち形状の固定枠部にかかる負荷を分散できる。よって、吊り上げ搬送時に筐体が撓むことを抑制又は防止することが可能となる。
【図面の簡単な説明】
【００１０】
【図１】本開示の配電盤を示す斜視図。
【図２】筐体の天板を示す平面図、Ａ−Ａ部位断面図、及びＢ−Ｂ部位断面図。
【図３】枠補強材、前後補強材、及び枠部を示す正面図。
【発明を実施するための形態】
【００１１】
本開示の一実施形態について図面を用いて説明する。
【００１２】
図１に示すように、配電盤は、複数の電気機器１と、複数の電気機器１を収納すると共に正面側Ｘ１を向く開口２０を有する筐体２と、を有する。電気機器１としては、例えば、操作スイッチ１０を有する複数の遮断器や、制御機器が挙げられる。本実施形態では、配電盤は、筐体２の開口２０を閉塞可能な扉３を有するが、扉ではなく保護板を取り付けてもよい。
【００１３】
筐体２は、金属製であり、図１に示すように、開口２０を有する箱形をなし、天板２１、背板２２、側板２３及び底板２４で、電気機器１を収納する空間を形成している。正面視において開口２０の縁には枠部２５が設けられている。枠部２５は、筐体２を構成する各板部材（天板２１、側板２３、底板２４）を中央側へ向けて折り曲げ、更に奥側Ｘ２へ向けて折り曲げて形成されている。
【００１４】
図１及び図２に示すように、天板２１には、筐体２の外部から内部へ配線を引き込むための配線開口２１ｈが形成されている。本実施形態では、配線開口２１ｈは上下方向Ｙ１，Ｙ２だけでなく、正面側Ｘ１にも開口する平面視Ｃ字状をなしている。正面視で開口２０の上辺にある枠部２５は、固定枠部２５ｂ及び着脱可能な枠部２５ａを有する。着脱可能な枠部２５ａを取り外した状態で配線開口２１ｈが正面側Ｘ１に開口し、着脱可能な枠部２５ａを取り付けた状態では、配線開口２１ｈが正面から閉塞され見えなくなる。
【００１５】
図１及び図２に示すように、筐体２の天板２１の左右端部には、搬送時に用いるフックなどの保持部（非図示）を取り付けるための対をなす保持部取付部３０が設けられている。保持部取付部３０は、ネジ溝、ボルト溝などが挙げられる。フックなどの保持部は、配電盤の設置後に取り外してもよいし、筐体２に付けたままにしてもよい。
【００１６】
天板２１は、正面側Ｘ１に開く配線開口２１ｈを有するため、一対の保持部で吊り上げたときに撓み変形してしまう場合がある。
【００１７】
そこで、天板２１の左右端部に前後方向（Ｘ１，Ｘ２）に延在する前後補強材３１を設けている。前後補強材３１は、保持部取付部３０と平面視で重なる位置に配置されている。前後補強材３１は、天板２１の奥行き寸法に対応する寸法に形成されている。本実施形態において、前後補強材３１は、天板２１の奥行き寸法と同寸法であるが、これに限定されない。前後補強材３１は、天板２１の奥行き寸法の０．５倍以上の寸法があればよい。本実施形態では、図２及び図３に示すように、前後補強材３１は、筐体２を構成する天板２１及び側板２３の入り隅部に設けられている。前後補強材３１は、水平板３１ａ及び垂直板３１ｂを有する断面Ｌ字状をなしている。前後補強材３１の水平板３１ａ及び垂直板３１ｂが、それぞれ筐体２の天板２１及び側板２３に固定されている。本実施形態では、溶接にて固定されているが、その他固定方法を採用してもよい。例えば、ネジ止めなどが挙げられる。
【００１８】
固定枠部２５ｂは、図２に示すように、配線開口２１ｈの横幅が奥側よりも正面側の方が小さくなるように、左右外側から内側へ向けて延在している。固定枠部２５ｂの内部には枠補強材３２が設けられている。これにより、配線開口２１ｈの横幅が一定である場合に比べて、枠補強材３２が長くなるので、補強効果を高めることが可能となる。なお、他の例として、固定枠部２５ｂが内側へ延在しておらず、配線開口２１ｈの横幅が一定であってもよい。
【００１９】
枠補強材３２は、左右外側から内側へ延在して固定枠部２５ｂから露出しており、露出部位３２ａと、着脱可能な枠部２５ａとが、ネジ又はボルトなどの締結具（非図示）で固定可能に構成されている。露出部位３２ａには、固定部３２ｂとしてのネジ孔又はボルト孔が設けられている。
【００２０】
図２及び図３に示すように、固定枠部２５ｂ及び着脱可能な枠部２５ａは、上板２５ｃと、上板２５ｃから下方に向かう前板２５ｄと、前板２５ｄの下部から奥側Ｘ２へ向かう下板２５ｅと、を有する断面Ｕ字状をなしている。着脱可能な枠部２５ａは、上板２５ｃ及び前板２５ｄの少なくとも二箇所で固定されている。固定には、互いに形成された締着具の挿通孔が用いられる。なお、枠補強材３２は、固定枠部２５ｂと同じように、上板、前板及び下板により構成されている。枠補強材３２は、溶接により固定枠部２５ｂに固定される。また、枠補強材３２は前後補強材３１に隣接しており、枠補強材３２と前後補強材３１とは溶接で固定され、連結されている。
【００２１】
このように、前後方向（Ｘ１，Ｘ２）に延びる前後補強材３１と、左右方向に延びる枠補強材３２と、を設けることで、筐体２の天板２１の面としての剛性が高められる。さらに、前後補強材３１と枠補強材３２とが溶接で連結されていることで、筐体２の天板２１の面としての剛性を更に高めている。
【００２２】
以上のように、本実施形態の配電盤は、
正面側Ｘ１を向く開口２０を有する箱状をなし、正面視にて開口２０の縁に枠部２５が設けられ、天板２１に配線開口２１ｈが形成され、開口２０の上辺にある枠部２５は、固定枠部２５ｂ及び着脱可能な枠部２５ａを有し、着脱可能な枠部２５ａを取り外した状態で配線開口２１ｈが正面側Ｘ１に開口する、筐体２と、
天板２１の左右端部に設けられ、搬送時に用いる保持部を取り付けるための保持部取付部３０と、
天板２１の左右端部に前後方向に延在して設けられ、保持部取付部３０と平面視で重なる前後補強材３１と、
固定枠部２５ｂの内部に設けられる枠補強材３２と、を備え、
枠補強材３２は、左右外側から内側へ延在して固定枠部２５ｂから露出しており、露出部位３２ａと、着脱可能な枠部２５ａと、を締結具により固定可能に構成されている。
【００２３】
この構成によれば、フックなどの保持部が取り付けられる保持部取付部３０と平面視で重なる位置に前後補強材３１が設けられており、更に固定枠部２５ｂの内部に枠補強材３２が設けられ、対をなす枠補強材３２が枠部２５ａに直接固定された構造をなしている。着脱可能な枠部２５ａが枠補強材３２に直接接続されることによって、片持ち形状の固定枠部２５ｂにかかる負荷を分散できる。よって、吊り上げ搬送時に筐体２が撓むことを抑制又は防止することが可能となる。
【００２４】
本実施形態では、固定枠部２５ｂは、配線開口２１ｈの横幅が奥側よりも正面側の方が小さくなるように、左右外側から内側へ向けて延在している。
【００２５】
この構成によれば、配線開口２１ｈの横幅が奥側と手前側とで変わらない構造に比べて、枠補強材３２が長くなるので、補強効果を向上させることが可能となる。
【００２６】
本実施形態では、固定枠部２５ｂ及び着脱可能な枠部２５ａは、上板２５ｃと、上板２５ｃから下方に向かう前板２５ｄと、前板２５ｄの下部から奥側へ向かう下板２５ｅと、を有し、着脱可能な枠部２５ａは、上板２５ｃ及び前板２５ｄの少なくとも二箇所で固定される。
【００２７】
この構成によれば、堅固な断面Ｕ字状の枠部２５における交差する上板２５ｃ及び前板２５ｄの二箇所を利用するので、強度を更に向上させることが可能となる。
【００２８】
本実施形態では、前後補強材３１は、筐体２を構成する天板２１及び側板２３の入り隅部に設けられ、水平板３１ａ及び垂直板３１ｂを有する断面Ｌ字状であり、水平板３１ａ及び垂直板３１ｂがそれぞれ筐体２の天板２１及び側板２３に固定されている。
【００２９】
この構成によれば、簡素な構成で補強でき、更にＬ字形状であるので、筐体２の収容スペースを損なうことがない。
【００３０】
本開示は上述した実施形態に何ら限定されるものではなく、本開示の趣旨を逸脱しない範囲内で種々の改良変更が可能である。
【００３１】
例えば、上記実施形態では、上方からのみ配線が引き込まれる実施形態であり、底板２４に配線開口が形成されていない実施形態を例に挙げているが、これに限定されない。例えば、上方及び下方の両側から配線が引き込まれる場合には、天板２１と底板２４の両方に配線開口が形成され、両方の配線開口が正面側に開口する構造となる。この場合、正面側の枠部の剛性が上下とも弱くなるので、吊り下げ時に天板及び底板の正面左右が相対的に上下に動き変形しやすくなる。よって、上記補強構造による効果がより確認しやすい。
【００３２】
上記では、配電盤として分電盤を例に挙げて説明したが、制御盤としての配電盤にも本開示は適用可能である。
【符号の説明】
【００３３】
２…筐体
２１…天板
２１ｈ…配線開口
２３…側板
２５…枠部
２５ａ…着脱可能な枠部
２５ｂ…固定枠部
３０…保持部取付部
３１…前後補強材
３１ａ…水平板
３１ｂ…垂直板
３２…枠補強材
３２ａ…露出部位
２５ｃ…上板
２５ｄ…前板
２５ｅ…下板
Ｘ１…正面側
【図１】
2018174664.tif 000003
【図２】
2018174664.tif 000004
【図３】
2018174664.tif 000005